(57)【特許請求の範囲】
【請求項１】
室内外を連通させる開口部に室内側から挿入して装着する、風洞とこの風洞内で羽根車が回転し換気流を形成する送風機を備えた換気機能を果たす本体について、その送風機の電動機を前記風洞の室外側となる後方に配置させるとともに、この電動機から延びる電源コードを、その基部側において前記風洞の後端に延出して設けたコード挿通部を有する軸方向枠部と前記風洞の外周より内側に入り込んだ周方向枠部とからなるコード保持構造により前記風洞の外周より内側において内向きに押え、かつ、前記風洞の端部と前記周方向枠部とで挟み付けて、前記風洞に押付けてプラグ側を同風洞の外周に当て沿わせて配索した換気装置。
【発明の詳細な説明】
【０００１】
【発明の属する技術分野】
本発明は、室内外を連通させる開口部に室内側から挿入して装着する換気装置に関するものである。
【０００２】
【従来の技術】
換気装置の中には、特開平４―３０９７３７号公報に示されているように室内外を連通させるダクトやパイプ等により構成される開口部に室内側から本体を挿入して装着するものがある。この種の換気装置は、その多くが本体に備えられた板バネの拡開方向に働くバネ力によりダクトやパイプ内に取付けられる。従って、本体の挿入に際し電動機から延びる電源コードが挿入操作の邪魔になったり、ダクトやパイプに当り損傷したりしないようにする電源コードの配索に関する工夫が講じられている。上記した公報に示されているものでは、本体の風洞の端部に電源コードを沿わせる案内部が延出されていて、この案内部に沿わせた電源コードをコードバンドで案内部とともに結束し、電源コードが本体の挿入性を阻害したり、挿入により電源コードが損傷したりしないようにしている。
【０００３】
【発明が解決しようとする課題】
上記した従来の換気装置においては、製造における組立工程で電動機の電源コードを案内部に飛び出さないように確り沿わせ、その状態をコードバンドで結束して安定なものにする面倒な作業が必要であり、組立作業が煩雑なうえ、コードバンドなど電源コードの固定のための資材も必要なためコストが高くついている。
【０００４】
本発明は、係る従来の問題点を解決するためになされたものであって、その課題とするところは、換気装置の低コスト化を達成することであり、組立における電源コードの配索が簡単な換気装置を得ることである。
【０００５】
【課題を解決するための手段】
前記課題を達成するために請求項1の発明は、室内外を連通させる開口部に室内側から挿入して装着する、風洞とこの風洞内で羽根車が回転し換気流を形成する送風機を備えた換気機能を果たす本体について、送風機の電動機を風洞の室外側となる後方に配置させるとともに、この電動機から延びる電源コードを、基部側において風洞の後端に延出して設けたコード挿通部を有する軸方向枠部と風洞の外周より内側に入り込んだ周方向枠部とからなるコード保持構造により風洞の外周より内側において内向きに押え、かつ、風洞の端部と周方向枠部とで挟み付けて、風洞に押付けてプラグ側を風洞の外周に当て沿わせて配索する手段を採用する。
【００１１】
【発明の実施の形態】
実施の形態１．
図１と図２によって示す本実施の形態はパイプやダクトの内側に嵌め装着される換気装置に関するものである。この換気装置は、風洞を構成する樹脂製の本体１と、羽根車２と電動機３よりなる送風機とを主体として構成されている。本体１は、前部に吸込口となる開口部４を有し、この開口部４の口縁部には半径方向に張出すフランジ５を備えた風洞を構成する円筒状の胴部６の後端側に、電動機構成部７を設けた樹脂による一体成形物として構成されている。フランジ５は、自由端側が後方に向って延出する縁枠部８をなし本体１の前面部を構成している。
【００１２】
電動機構成部７は、周方向に間隔をおいて胴部６の中心線方向に沿って延出する三本の脚部９と、この脚部９によって支持されたカバー部１０とからなる。三本の脚部９は、いずれも胴部６の外周より内側にあり、その二本の外側に半径方向への拡開弾力により本体１をパイプ内やダクト内に保持するための反り付きの板バネ（図示しない）が装着されている。カバー部１０は三本の脚部９によって胴部６の中心線上に支持されていて、胴部６側に軸挿通孔を有し、反胴部６端側の開放した円形丸底の開放容器状をなし、電動機３の出力軸側の外殻の大半を構成する。カバー部１０の開放端側には半径方向に張出す数個のネジ嵌め構造が周方向に間隔をおいて設けられている。カバー部１０の胴部６側の角部は空気抵抗の少ない面取り形状又はＲ形状に形成されている。
【００１３】
送風機の電動機３は、固定子と回転子とからなる電動機本体を出力軸側のカバーと固定子側のキャップ１１とからなる外殻で内包した外転形電動機であるが、そのカバーは本体１に一体成形された電動機構成部７のカバー部１０によって構成される。従って、組付け前の電動機３はカバーを欠く非完成形態である。電動機本体にはその固定子の外周に半径方向に張出す数個の固定構造が周方向に間隔をおいて設けられている。
【００１４】
電動機３のキャップ１１は樹脂により浅底容器状に構成され、固定子側端に配設された電気部品や電気回路の充電部を被冠している。キャップ１１の口縁には半径方向に張出す数個の固定構造が周方向に間隔をおいて設けられている。この固定構造と電動機構成部７のネジ嵌め構造と電動機本体の固定構造とは整合するように構成されている。電動機本体の回転子側を、その出力軸がカバー部１０の軸挿通孔から風洞内に突出するようにカバー部１０に収め、キャップ１１を装着し、キャップ１１の固定構造側から電動機本体の固定構造を通して電動機構成部７のネジ嵌め構造へネジ１２を締め込むことにより、本体１の電動機構成部７に電動機３が構成される。本体１に構成された電動機３の胴部６内の中心線上に延出する出力軸に軸流形の羽根車２が胴部６に全体が内包され、風洞内で回転できるように嵌め装着される。そして、本体１の前面部は、通風可能に構成された着脱可能の化粧グリル１３の装着により被覆され、室内に臨まされる。
【００１５】
電動機３の電源コード１４は、キャップ１１の引出し口から外部に延びていて胴部６の後端に延出して設けられたコード保持構造１５に、基部側（電動機側）において掛止めされ、中間部が胴部６の外周に中心線方向に沿って形成されたチャンネル１６に収められ、プラグ側がフランジ５の背面に沿って縁枠部８から外部に引出されている（図２参照）。コード保持構造１５は、一部をコード挿脱部１７として開放した角枠状に形成され、胴部６の後端縁に対向する周方向枠部１８と、胴部６の中心線方向に延びる軸方向枠部１９とからなり、少なくとも周方向枠部１８については胴部６の外周より内側に入り込んだ位置に構成されている。チャンネル１６は胴部６の外周に形成された二列のリブ２０により胴部６の全長にわたって形成されている。
【００１６】
この換気装置は、電動機本体とキャップ１１を部品として本体１のカバー部１０に組付けることにより電動機３が完成形態となるとともに、電動機３の本体１への固定も完了するため、部品点数が少なく組立作業も平易で、工程数も少ない。従って、製造コストは大幅に低減する。三本の脚部９はカバー部１０によって連結しているため電動機３を支持する強度が容易に得られ、脚部９の肉厚を厚くしたり、高強度の樹脂を用いたりする対策を講じる必要もないことから、コストの低減に大いに寄与することになる。組立に際し電動機３から延出した電源コード１４は、コード保持構造１５のコード挿脱部１７に基部側を入れ、周方向枠部１８に内側から潜らせ胴部６のチャンネル１６に収め、フランジ５の背面に沿わせてプラグ側を外部に引出す。この電源コード１４の配索操作は、コード挿脱部１７からコード保持構造１５に絡めるだけの簡単なものであり、作業性が良くこのことも製造コストの低減に寄与する。
【００１７】
このように配索された電源コード１４は、周方向枠部１８によって内側に押付けられ、胴部６の端部と周方向枠部１８により挟み付けられ、コードバンド等の別部品なしに外方及び内方への移動が規制される。また、周方向の移動もチャンネル１６を形成しているリブ２０と、軸方向枠部１９により規制されている。従って、ダクトやパイプに本体１を挿入する際に、電源コード１４が引掛かったりダクトやパイプに接触して損傷するようなことは起きず、本体１を容易に取付けることができる。建物の壁厚が薄く図１に示すように室外側にフード２１を設けた場合には、パイプに挿入した換気装置の電動機３や電動機構成部７がフード２１の筒部２２に達することになるが、電源コード１４は電動機３側においては胴部６より内側に保持されているので、筒部２２に接触したりすることもなく、容易に施工することができる。なお、電動機３は内転形電動機を採用しても同様な構成が可能である。
【００１８】
実施の形態２．
図３に示す本実施の形態は、実施の形態１で示した換気装置のコード保持構造１５に電源コード１４に対する拘束性を高める工夫を講じたものであり、これに係る構成以外は実施の形態１のものと同じである。従って、実施の形態１と同じ部分については、実施の形態１のものと同じ符号を用い、それらについての説明は省略する。
【００１９】
本実施の形態の換気装置は、コード保持構造１５をカバー部１０の外表に接近するくらい内側に入り込ませている。周方向枠部１８に潜らせた電動機３の電源コード１４は、基部側がカバー部１０の外表に沿った形態で押え付けられる。この構成を採ることにより電源コード１４はカバー部１０に押付けられ、チャンネル１６に至る斜めになる長さも短くなるためしっかりと拘束されることになる。これ以外の機能は実施の形態１のものと同じである。
【００２０】
実施の形態３．
図４に示す本実施の形態は、実施の形態１や実施の形態２で示したコード保持構造１５に向い合う胴部６の後端を部分的に延出させコード保護部２３を構成したものであり、これに係る構成以外は実施の形態１や実施の形態２のものと同じである。従って、実施の形態１や実施の形態２と同じ部分については、それらと同じ符号を用い、その説明は省略する。
【００２１】
本実施の形態の換気装置は、胴部６が羽根車２の全体を内包せず、電動機３側の一部が風洞の外に出ている。こうすることにより、より送風性能が高まることから、機種によってはこうした構成を採用しているものもある。この場合、コード保持構造１５に保持させた電源コード１４が回転する羽根車２に接触する恐れがある。電源コード１４を引き回す部分の胴部６の後端に羽根車２を覆うコード保護部２３を設けることによって、回転する羽根車２に電源コード１４が触れることを防止できる。これ以外の機能は、実施の形態１や実施の形態２のものと同じである。
【００２２】
実施の形態４．
図５に示す本実施の形態は、実施の形態１〜実施の形態３で示したコード保持構造１５による電源コードの１４の配索位置に工夫を講じたものであり、これに係る構成以外は実施の形態１〜実施の形態３のものと同じである。従って、実施の形態１〜実施の形態３と同じ部分については、それらと同じ符号を用い、その説明は省略する。
【００２３】
本実施の形態の換気装置では、本体１の三本の脚部９の二本に対し外側に半径方向への拡開弾力により本体１をパイプ内やダクト内に保持するための反り付きの板バネ２４が装着されている。コード保持構造１５は、板バネ２４の取付ピッチの短い間隔の空間に構成され、この位置に倣ってチャンネル１６やコード保護部２３も形成されている。本体１をパイプ２５に装着した場合、取付ピッチの広い側に本体１が押付けられ、狭い側には図５に示すようにパイプ２５との間に空間２６ができる。上述の構成により電源コード１４はこの隙間２６において配索されることになり、電源コード１４に対する保護性が一段と向上する。これ以外の機能は実施の形態１〜実施の形態３のものと同じである。
【００２４】
【発明の効果】
請求項1の発明によれば、別部品を用いることなく電源コードの拘束状態での配索が可能であり、組立作業も平易になり、コードの拘束性が増し、電源コードを羽根車から保護することができ、換気装置の低コスト化を達成できる。
【図面の簡単な説明】
【図１】  実施の形態１の換気装置を取付状態で示す縦断側面図である。
【図２】  実施の形態１の換気装置の背面側の斜視図である。
【図３】  実施の形態２の換気装置を取付状態で示す縦断側面図である。
【図４】  実施の形態３の換気装置を取付状態で示す縦断側面図である。
【図５】  実施の形態４の換気装置を取付状態で示す背面図である。
【符号の説明】
１  本体、  ２  羽根車、  ３  電動機、  ６  胴部、  １０  カバー部、  １４  電源コード、  １５  コード保持構造、  １６  チャンネル、  １７  コード挿脱部、  １８  周方向枠部、  ２３  コード保護部  ２４  板バネ。
【図１】
0003721943.tif 000002
【図２】
0003721943.tif 000003
【図３】
0003721943.tif 000004
【図４】
0003721943.tif 000005
【図５】
0003721943.tif 000006